(57)【特許請求の範囲】
【請求項１】
植物の誘引に供される誘引紐を架台に支持させるための誘引紐支持具であって、
本体部と、
前記本体部に設けられ、前記架台に係止される係止部と、
前記本体部に設けられ、略鉛直上方を向く挟持面を有する基台部と、
可撓性を有する連結片を介して前記本体部に変位可能に接続され、下面が前記挟持面に対向する挟持片と
を有し、
前記誘引紐は、前記基台部の前記挟持面と前記挟持片の前記下面との間を通過した後、前記挟持片の上部を跨ぐように前記挟持片に巻き掛けられ、その後、下方へと延びて前記植物に連結されることを特徴とする誘引紐支持具。
【請求項２】
前記本体部は、斜め上方を向くテーパ面であるガイド面を有し、
前記挟持片は、前記ガイド面に摺接可能なガイド凸部を有し、
前記挟持片が水平方向に押圧された際に、前記ガイド凸部が前記ガイド面上を上方へと摺動し、前記挟持片が上方へと変位して前記基台部から離間することを特徴とする請求項１に記載の誘引紐支持具。
【請求項３】
前記基台部の側部には、前記挟持面上へと延びる前記誘引紐の位置を規制するガイド壁部が設けられていることを特徴とする請求項１又は請求項２に記載の誘引紐支持具。
【請求項４】
前記挟持片の前記下面及び前記基台部の前記挟持面の少なくとも一方は、前記誘引紐が前記下面及び前記挟持面の間を通過する方向に進むにつれて上方又は下方へと傾斜していることを特徴とする請求項１〜請求項３のいずれか１つの項に記載の誘引紐支持具。
【請求項５】
前記挟持片の前記下面には、前記誘引紐の位置を規制する溝が形成されていることを特徴とする請求項１〜請求項４のいずれか１つの項に記載の誘引紐支持具。
【請求項６】
前記連結片は、前記挟持片を前記基台側へと付勢することを特徴とする請求項１〜請求項５のいずれか１つの項に記載の誘引紐支持具。
【請求項７】
前記係止部は、フック形状を呈し、前記基台部の上方に配置されていることを特徴とする請求項１〜請求項６のいずれか１つの項に記載の誘引紐支持具。
【請求項８】
前記本体部に設けられ、前記誘引紐が巻き回されたボビンを回転可能に支持するボビン支持部を更に有することを特徴とする請求項１〜請求項７のいずれか１つの項に記載の誘引紐支持具。
【請求項９】
当該誘引紐支持具は、連続した１つの樹脂部材から形成されていることを特徴とする請求項１〜請求項８のいずれか１つの項に記載の誘引紐支持具。
【発明の詳細な説明】
【技術分野】
【０００１】
本発明は、トマト等の植物の茎を支持するために、茎に連結される誘引紐を繰り出す誘引紐支持具であって、植物の上方に掛け渡されたワイヤ等に取り付けて使用するものである。
【背景技術】
【０００２】
トマトやキュウリ等の植物の栽培時に、その茎が自重や実の重みで垂れ下がることを防止するために、茎を誘引紐によって吊り下げる栽培方式がある。このような栽培方式では、茎の成長に伴って誘引紐の長さや支持位置を変更する必要が生じるため、必要に応じて誘引紐の長さを調節するようにした誘引紐支持具が使用されている（例えば、特許文献１）。
【０００３】
特許文献１に係る誘引紐支持具は外面に溝（凹部）を有しており、溝に沿って誘引紐が巻き掛けられる。これにより、誘引紐は、誘引紐同士又は誘引紐と溝との間に生じる摩擦力によって、誘引紐支持具に固定される。
【先行技術文献】
【特許文献】
【０００４】
【特許文献１】特開２００７−２９５８４３号公報
【発明の概要】
【発明が解決しようとする課題】
【０００５】
しかしながら、特許文献１に係る誘引紐支持具は、誘引紐同士又は誘引紐と溝との間に生じる摩擦力を利用して誘引紐の固定を行っているため、固定が不安定であるという問題がある。特に、誘引紐に樹脂糸等の摩擦係数の低い紐（糸）を使用した場合には、上記の問題は顕著となる。
【０００６】
本発明は、以上の問題を鑑みてなされたものであって、誘引紐を確実かつ簡単に固定することができる誘引紐支持具を提供することを課題とする。
【課題を解決するための手段】
【０００７】
上記課題を解決するために、本発明は、植物（５１）の誘引に供される誘引紐（４０）を架台（５２）に支持させるための誘引紐支持具（１）であって、本体部（３）と、前記本体部に設けられ、前記架台に係止される係止部（４）と、前記本体部に設けられ、略鉛直上方を向く挟持面（１１）を有する基台部（８）と、可撓性を有する連結片（６）を介して前記本体部に変位可能に接続され、下面（２２）が前記挟持面に対向する挟持片（７）とを有し、前記誘引紐は、前記基台部の前記挟持面と前記挟持片の前記下面との間を通過した後、前記挟持片の上部を跨ぐように前記挟持片に巻き掛けられ、その後、下方へと延びて前記植物に連結されることを特徴とする。
【０００８】
この構成によれば、誘引紐が挟持片に巻き掛けられているため、植物の重量によって誘引紐が下方に引っ張られる際には、誘引紐と共に挟持片が下方へと変位し、挟持片の下面と基台部の挟持面との間で誘引紐が挟持される。これにより、誘引紐支持具は、誘引紐を確実に固定することができる。
【０００９】
本発明の他の側面は、前記本体部は、斜め上方を向くテーパ面であるガイド面（１７）を有し、前記挟持片は、前記ガイド面に摺接可能なガイド凸部（２５）を有し、前記挟持片が水平方向に押圧された際に、前記ガイド凸部が前記ガイド面上を上方へと摺動し、前記挟持片が上方へと変位して前記基台部から離間することを特徴とする。
【００１０】
この構成によれば、挟持片を水平方向に押し込む操作によって、挟持片を基台部から離間させ、誘引紐の繰り出し（出し入れ）が可能になる。
【００１１】
本発明の他の側面は、前記基台部の側部には、前記挟持面上へと延びる前記誘引紐の位置を規制するガイド壁部（１３，１４）が設けられていることを特徴とする。
【００１２】
この構成によれば、誘引紐を挟持片に巻き掛ける際に、誘引紐を挟持片の所定の位置に導くことができる。
【００１３】
本発明の他の側面は、前記挟持片の前記下面及び前記基台部の前記挟持面の少なくとも一方は、前記誘引紐が前記下面及び前記挟持面の間を通過する方向に進むにつれて上方又は下方へと傾斜していることを特徴とする。
【００１４】
この構成によれば、挟持面と挟持片の下面との接触性が向上し、誘引紐が挟持面と下面との間に確実に挟持されるようになる。
【００１５】
本発明の他の側面は、前記挟持片の前記下面には、前記誘引紐の位置を規制する溝（２３）が形成されていることを特徴とする。
【００１６】
この構成によれば、誘引紐が挟持片に対して所定の位置に保持されるようになる。
【００１７】
本発明の他の側面は、前記連結片は、前記挟持片を前記基台側へと付勢することを特徴とする。
【００１８】
この構成によれば、挟持面と挟持片の下面との間で、誘引紐がより確実に挟持されるようになる。
【００１９】
本発明の他の側面は、前記係止部は、フック形状を呈し、前記基台部の上方に配置されていることを特徴とする。
【００２０】
この構成によれば、誘引紐支持具が架台に係止された状態での姿勢が安定する。基台部上には挟持片及び誘引紐が配置されるため、誘引紐の上方に係止部が配置されることになるためである。
【００２１】
本発明の他の側面は、前記本体部に設けられ、前記誘引紐が巻き回されたボビン（４１）を回転可能に支持するボビン支持部（５）を更に有することを特徴とする。
【００２２】
この構成によれば、誘引紐をボビンに巻き付けた状態で収納することができ、誘引紐支持具の取り扱い性が向上する。
【００２３】
本発明の他の側面は、当該誘引紐支持具は、連続した１つの樹脂部材から形成されていることを特徴とする。
【００２４】
この構成によれば、部品点数の削減及び取り扱い性の向上が図れる。
【発明の効果】
【００２５】
以上の構成によれば、誘引紐を確実かつ簡単に固定することができる誘引紐支持具を提供することができる。
【図面の簡単な説明】
【００２６】
【図１】誘引紐支持具の初期形態を前方から見た斜視図
【図２】誘引紐支持具の初期形態を後方から見た斜視図
【図３】誘引紐支持具の初期形態の正面図
【図４】誘引紐支持具の使用形態の正面図
【図５】誘引紐支持具に誘引紐を固定する手順を示す図
【図６】誘引紐支持具に誘引紐を固定する手順を示す図
【図７】図６のVII−VII断面図
【図８】誘引紐支持具に誘引紐を固定する手順を示す図
【図９】図８のIX−IX断面図
【図１０】誘引紐支持具に誘引紐を固定する手順を示す図
【図１１】誘引紐支持具に誘引紐を固定する手順を示す図
【図１２】図１１のXII−XII断面図
【図１３】誘引紐支持具による誘引紐の固定の解除操作を示す図
【図１４】誘引紐支持具により植物の茎を誘引する過程を示す模式図
【図１５】一部変形実施形態に係る誘引紐支持具の使用形態の正面図
【発明を実施するための形態】
【００２７】
以下、図面を参照して、本発明の実施形態に係る誘引紐支持具１について説明する。以下の説明では、図に示す座標軸に基づいて各方向を定める。
【００２８】
図１〜３に示すように、第１実施形態に係る誘引紐支持具１は、略上下方向に延在しつつ、右方へと凸となる弧状に湾曲した本体部３を有している。本体部３の上端には、Ｕ字形状を呈し、先端が下方を向くフックである係止部４が設けられている。本体部３の下端には、下方へと延出した後、略直角に屈曲して右方へと延びる棒状のボビン支持部５が設けられている。本体部３の上端には、左方かつ下方へとＳ字状に湾曲しつつ延出する帯状の連結片６が設けられている。連結片６の先端には、挟持片７が設けられている。本体部３の下端には、左方へと突出する基台部８が設けられている。誘引紐支持具１を構成するこれらの本体部３、係止部４、ボビン支持部５、連結片６、挟持片７及び基台部８は、連続した１つの樹脂材料から形成されている。樹脂材料には、公知の様々な材料を適用することができ、例えば熱可塑性樹脂、より詳細にはポリアセタール（ＰＯＭ）を適用することができる。
【００２９】
基台部８の上部は、挟持面１１を形成している。挟持面１１は、左右方向に延在し、後方へと進むにつれて下方へと下がるテーパ面となっている。基台部８の前側面の左部及び右部には、前方へと突出する左ガイド壁１３及び右ガイド壁１４が形成されている。左ガイド壁１３及び右ガイド壁１４は、基台部８の前側部上を略上下方向に延在すると共に、上部が挟持面１１の前縁部を越えて上方に突出している。左ガイド壁１３及び右ガイド壁１４は、左右方向において互いに離間して対向し、左ガイド壁１３及び右ガイド壁１４の間には上下方向に延在する通路１５が形成されている。通路１５の上端は、挟持面１１の前縁部の左右方向における中央部に連続している。左ガイド壁１３及び右ガイド壁１４の下部は、下方に進むほど前方への突出長さが小さくなっている（壁の高さが低くなっている）。通路１５は、係止部４のフックによる凹部の下方に配置されている。
【００３０】
右ガイド壁１４の上端面は、右方に進むほど上方へ変位するテーパ面であるガイド面１７を形成している。換言すると、ガイド面１７は、上方かつ右方を向いている。ガイド面１７の上端（右端）は、本体部３の左側部に連続している。換言すると、ガイド面１７は本体部３に設けられているといえる。挟持面１１の左端には、上方へと突出する規制壁１８が設けられている。規制壁１８の前縁は、右ガイド壁１４に連続している。
【００３１】
連結片６は、帯状に形成されたことによって可撓性を有している。連結片６の先端は、左右方向に延在する挟持片７の上部２１の右端に連結している。なお、ここでの挟持片７の上下左右は、図４における誘引紐支持具１の使用形態における挟持片７の姿勢を基準として定めたものである。挟持片７は、右端側で連結片６に連結しており、左端は遊端となっている。挟持片７の上部２１と相反する側の表面である下面２２は、左右方向に延在し、後方へと進むにつれて下方へと下がるテーパ面となっている。下面２２の左右方向における中央部には、前後方向に延在する断面三角形の溝２３（Ｖ字溝）が形成されている。
【００３２】
また、挟持片７の前側部の右端部には、前方へと突出するガイド凸部２５が設けられている。また、挟持片７の左上部には、左上へと突出するレバー２６が設けられている。レバー２６によって、挟持片７の上部２１は、右方に進むほど下方へと下るテーパ面となっている。また、上部２１の右端には連結片６が連結しているため、上部２１と連結片６とによって凹部が画成されている。挟持片７の後側部には、後方へと突出し、上下方向に延在する紐ガイド壁２８が設けられている（図２参照）。紐ガイド壁２８は、その右側部が溝２３の底部に対応する位置に配置されている。
【００３３】
誘引紐支持具１は、図１〜３に示すような挟持片７が基台部８から離間した形態で成形される。この形態を、誘引紐支持具１の初期形態という。初期形態から、挟持片７の下面２２が基台部８の挟持面１１に対向する位置へと、連結片６を撓ませつつ挟持片７を配置することによって、誘引紐支持具１は図４に示す形態となる。この形態を誘引紐支持具１の使用形態という。挟持片７は、その左側部２７が基台部８の規制壁１８に当接することによって、連結片６の復元力に抗して使用形態における位置に維持される。
【００３４】
図４に示すような使用形態では、挟持片７は連結片６の復元力によって挟持面１１側へと付勢されている。これにより、ガイド凸部２５は、左ガイド壁１３のガイド面１７に当接している。また、挟持片７の溝２３の底部は、基台部８の通路１５の上端に対応した位置に配置されている。
【００３５】
誘引紐４０は、樹脂糸や綿糸からなる紐であり、図１及び４に示すように、円筒状のボビン（リール）４１に巻き回されて収納されている。ボビン４１の内孔４２にはボビン支持部５が挿通され、ボビン４１はボビン支持部５に回転可能に支持されている。ボビン支持部５の先端（左端）には、２つの弾性爪４３が形成されている。これらの弾性爪４３が、ボビン４１の内孔４２の端部に引っ掛かることによって、ボビン４１はボビン支持部５からの抜け出しが規制されている。
【００３６】
次に、以上のように構成した誘引紐支持具１の使用方法について説明する。図１４に示すように、誘引紐支持具１は、誘引対象となるトマト等の植物５１の上方に略水平に掛け渡されたワイヤ５２に、係止部４において引っ掛けられ、使用される。ワイヤ５２は、地面に対して立設された支柱間に掛け渡されたものであってよい。なお、ワイヤ５２に代えて、ネットや梁等を支持体としてもよい。
【００３７】
図５〜１２を参照して、誘引紐支持具１から繰り出される誘引紐４０の長さの固定方法について説明する。図５に示すように、使用者は、ボビン４１に巻かれた誘引紐４０の先端部４５を掴んで所定の長さ繰り出し、先端部４５を変位させて誘引紐４０を本体部３及び基台部８の前側、すなわち、左ガイド壁１３の挟持面１１よりも上方に突出した突出部分４６の前側に導く。そして、使用者は、誘引紐４０の中間部分４７を、本体部３の通路１５の下方に位置する部分４８に指で押さえ付け、固定する。その状態で、使用者は、誘引紐４０の先端部４５を突出部分４６の上縁とレバー２６の下縁との間に通す。
【００３８】
次に、図５に示す状態から、使用者は、先端部４５を突出部分４６の上端よりも下方に変位させつつ、右方へと変位させる。これにより、誘引紐４０が挟持片７の左側部２７を右方に押圧して、挟持片７は連結片６の付勢力に抗しつつ右方に変位する。このとき、ガイド凸部２５がガイド面１７上を右方かつ上方に摺動するため、挟持片７は上方にも変位し、図６及び７に示すようように、挟持片７の下面２２と基台部８の挟持面１１とが離間する。これにより、誘引紐４０は、下面２２と挟持面１１との間に進入しつつ、突出部分４６の右端を越え、図８及び９に示すように、通路１５内（左右ガイド壁１３，１４の間）に配置される。図８に示す状態では、誘引紐４０が挟持片７の左側部２７を押圧しなくなるため、挟持片７は連結片６の復元力によって、左側部２７が規制壁１８に当接する状態へと復帰する。これにより、誘引紐４０は溝２３内に嵌り込んだ状態となる。誘引紐４０は、溝２３に嵌り込むことによって左右方向への変位が規制される。
【００３９】
次に、使用者は、先端部４５を上方かつ前方へと変位させて挟持片７の上部２１を跨ぐようにして前方に配置し、図１０に示すように、誘引紐４０が挟持片７の上部２１と連結片６の間を後方から前方へと通過するように導く。このとき、誘引紐４０が挟持片７の後側部において紐ガイド壁２８の右側部に沿うように先端部４５を変位させる。
【００４０】
続いて、使用者は、先端部４５を本体部３及び挟持片７の前方において下方へと変位させ、図１１に示すように、誘引紐４０が挟持片７の前側部に沿って下方へと延在し、通路１５内を上方から下方へと延びるように導く。以上のように、誘引紐４０を誘引紐支持具１に巻き掛けることによって、図１２に示すように、誘引紐４０は挟持片７の周囲を上下方向に１回転するように配置される。すなわち、誘引紐４０は、挟持面１１と挟持片７の下面２２との間を前側から後側へと通過した後、挟持片７の後側部に沿って上方へと延び、挟持片７の上部２１を後側から前側へと跨ぎ、挟持片７の前側部に沿って下方へと延びている。これにより、誘引紐４０の先端部４５に植物５１の茎５４等の物体が連結された場合には、誘引紐４０の先端部４５が下方へと引っ張られ、これに応じて挟持片７が下方に変位し、挟持片７の下面２２と挟持面１１との間で誘引紐４０が挟持される。これにより、誘引紐４０の先端部４５の繰り出し長さが固定される。
【００４１】
誘引紐４０の先端部４５の繰り出し長さを調節する際には、図１３に示すように、使用者はレバー２６を右方へと押圧する。これにより、ガイド凸部２５がガイド面１７上を上方かつ右方に摺動し、挟持片７が上方かつ右方へと変位する。挟持片７が上方に変位することによって、下面２２と挟持面１１とが離間して誘引紐４０の挟持が解除され、誘引紐４０の先端部４５の繰り出し長さを調節することができる。繰り出し長さの調節を終える際には、レバー２６の押圧を止めればよい。これにより、誘引紐４０の先端部４５に連結された植物５１の重量によって挟持片７が下方へと変位し、下面２２と挟持面１１による誘引紐４０の挟持が再び行われる。
【００４２】
図１４に示すように、誘引紐４０の先端部４５は、クランプ５３を介して植物５１の茎５４に連結されている。先端部４５は、接着や締結等によってクランプ５３に結合され、クランプ５３が茎５４を挟持する。なお、他の実施形態ではクランプ５３を省略して、誘引紐４０の先端部４５を茎５４に直接に結び付けてもよい。図１４（Ａ）及び（Ｂ）に示すように、茎５４の成長に応じて、誘引紐支持具１は、誘引紐４０の繰り出し長さを調節することで茎５４を鉛直上方に誘引することができる。また、図１４（Ｃ）に示すように、茎５４を側方へ誘引したい場合には、係止部４をワイヤ５２に対してスライド移動させ、誘引紐支持具１の茎５４に対する相対位置を変位させればよい。また、誘引紐支持具１をワイヤ５２以外の他のワイヤに支持させることによって、茎５４の誘引方向を変更してもよい。その際、係止部４は、ワイヤ５２に対して引っ掛かっているだけの簡単な結合構造であるため、支持させるワイヤの変更が容易である。
【００４３】
本実施形態に係る誘引紐支持具１は、誘引紐４０を挟持片７に巻き掛けた簡素な構成によって、植物５１の重量を利用して誘引紐４０の繰り出し長さを固定するものである。挟持片７の左端部は遊端となっているため、使用者は誘引紐４０の先端部４５を把持したまま、誘引紐４０を左端側から挟持片７に巻き回すことができる。誘引紐４０は、通路１５（左右ガイド壁１３，１４）によって基台部８に対する左右方向における位置が規制され、溝２３及び紐ガイド壁２８によって挟持片７に対する左右方向における位置が規制されるため、挟持片７への誘引紐４０の巻き掛け操作が更に容易になっている。
【００４４】
誘引紐支持具１では、挟持面１１と下面２２とが、それぞれ後方へと進むにつれて下方へと下がるテーパ面となっているため、互いの接触性が良く、誘引紐４０を挟持面１１と下面２２との間に確実に挟持することができる。
【００４５】
また、誘引紐支持具１は、ガイド凸部２５とガイド面１７との係合によって、レバー２６を右方へと押し込む簡単な操作で、挟持片７が上方に変位し、挟持面１１と下面２２とによる誘引紐４０の挟持が解除し、誘引紐４０の繰り出し長さの調節が可能となる。
【００４６】
また、誘引紐支持具１は、連続した１つの樹脂材料を成形して形成されるため、製造が容易であると共に、部品点数を削減することができる。
【００４７】
以上で具体的実施形態の説明を終えるが、本発明は上記実施形態に限定されることなく幅広く変形実施することができる。例えば、連結片６による挟持片７の下方への付勢力を増大し、連結片６の付勢力によって下面２２と挟持面１１との間で誘引紐４０を挟持するようにしてもよい。この場合には、誘引紐４０の先端部４５に茎５４等の物体が結合されていない場合でも、誘引紐４０は繰り出し長さが固定されるようになる。また、図１５に示すように、連結片６を金属製の板ばね５８としてもよい。このような板ばねを用いることで、連結片６による付勢力の増大が容易となる。
【００４８】
また、実施形態では、挟持面１１及び下面２２を後方に進むほど下方に進むテーパ面としたが、後方に進むほど上方に進むテーパ面としてもよい。
【符号の説明】
【００４９】
１…誘引紐支持具、３…本体部、４…係止部、５…ボビン支持部、６…連結片、７…挟持片、８…基台部、１１…挟持面、１３…左ガイド壁、１４…右ガイド壁、１５…通路、１７…ガイド面、１８…規制壁、２１…上部、２２…下面、２３…溝、２５…ガイド凸部、２６…レバー、２８…紐ガイド壁、４０…誘引紐、４１…ボビン、４５…先端部、４６…突出部分、５１…植物、５２…ワイヤ（架台）、５３…クランプ、５４…茎
【図１】
0005781847.tif 000002
【図２】
0005781847.tif 000003
【図３】
0005781847.tif 000004
【図４】
0005781847.tif 000005
【図５】
0005781847.tif 000006
【図６】
0005781847.tif 000007
【図７】
0005781847.tif 000008
【図８】
0005781847.tif 000009
【図９】
0005781847.tif 000010
【図１０】
0005781847.tif 000011
【図１１】
0005781847.tif 000012
【図１２】
0005781847.tif 000013
【図１３】
0005781847.tif 000014
【図１４】
0005781847.tif 000015
【図１５】
0005781847.tif 000016